(57)【特許請求の範囲】
【請求項１】
無線通信システムにおいて端末が位相トラッキング参照信号（Phase Tracking Reference Signal；ＰＴ−ＲＳ）を受信する方法であって、
第１のインデックスに従って順に番号付けされた複数のリソースブロックのうち、前記端末に割り当てられたＮ個のリソースブロックを決定し、
前記Ｎ個のリソースブロックは、前記第１のインデックスと異なる第２のインデックスに従って０からＮ−１まで順に番号付けされ、ここで、Ｎは、自然数であり、
前記端末に割り当てられたＮ個のリソースブロックのうち、前記ＰＴ−ＲＳがマッピングされる副搬送波を有する１つ又は複数のリソースブロックを決定し、
前記１つ又は複数のリソースブロックを介して前記ＰＴ−ＲＳを受信する、ことを有し、
前記ＰＴ−ＲＳがマッピングされる副搬送波を有する１つ又は複数のリソースブロックを決定することは、
（ｉ）前記ＰＴ−ＲＳの周波数密度（frequency density）に関する複数の第１の値と、
（ｉｉ）リソースブロックオフセットに関する単一の第２の値と、の組み合わせに基づき、
前記ＰＴ−ＲＳの周波数密度は、前記端末に割り当てられたＮ個のリソースブロックのためにスケジューリングされた帯域幅に関する、端末の位相トラッキング参照信号受信方法。
【請求項２】
前記ＰＴ−ＲＳの周波数密度は、
２つのリソースブロック当たり１つのＰＴ−ＲＳ、又は４つのリソースブロック当たり１つのＰＴ−ＲＳのいずれかに等しい、請求項１に記載の端末の位相トラッキング参照信号受信方法。
【請求項３】
前記１つ又は複数のリソースブロック内において、前記ＰＴ−ＲＳがマッピング可能な１つ又は複数の副搬送波候補に関する情報を受信する、ことをさらに有する、請求項１に記載の端末の位相トラッキング参照信号受信方法。
【請求項４】
前記１つ又は複数の副搬送波候補のうち、前記ＰＴ−ＲＳに関連付けられた復調参照信号（DeModulation Reference Signal；ＤＭ−ＲＳ）ポートの周波数位置に基づいて、前記ＰＴ−ＲＳがマッピングされる副搬送波の位置を決定する、ことをさらに有する、請求項３に記載の端末の位相トラッキング参照信号受信方法。
【請求項５】
前記ＰＴ−ＲＳは、前記ＰＴ−ＲＳがマッピングされた副搬送波内の前記関連付けられたＤＭ−ＲＳポートがマッピングされるシンボルの後の少なくとも１つのシンボルにマッピングされる、請求項４に記載の端末の位相トラッキング参照信号受信方法。
【請求項６】
前記ＰＴ−ＲＳが前記少なくとも１つのシンボルにマッピングされる時間領域パターンは、前記端末にスケジューリングされた変調及び符号化方式（Modulation and Coding Scheme；ＭＣＳ）に基づく、請求項５に記載の端末の位相トラッキング参照信号受信方法。
【請求項７】
前記１つ又は複数の副搬送波候補に関する情報は、上位層シグナリングによって受信される、請求項３に記載の端末の位相トラッキング参照信号受信方法。
【請求項８】
２つのＰＴ−ＲＳポートによって受信される複数のＰＴ−ＲＳと、時間領域でコード分割多重化（Code Division Multiplexing in Time domain；ＣＤＭ−Ｔ）される複数の復調参照信号（DeModulation Reference Signal；ＤＭ−ＲＳ）ポートに各々関連付けられる前記２つのＰＴ−ＲＳポートと、に基づいて、
前記２つのＰＴ−ＲＳポートによって受信される複数のＰＴ−ＲＳのそれぞれは、互いに異なるリソースブロックにマッピングされる、請求項１に記載の端末の位相トラッキング参照信号受信方法。
【請求項９】
前記ＰＴ−ＲＳがマッピングされる副搬送波を有する１つ又は複数のリソースブロックを決定することは、
前記第２の値に基づいて、前記１つ又は複数のリソースブロックのうち、スケジューリングされる最下のリソースブロックに関するオフセットを決定する、ことを有する、請求項１に記載の端末の位相トラッキング参照信号受信方法。
【請求項１０】
前記ＰＴ−ＲＳがマッピングされる副搬送波を有する１つ又は複数のリソースブロックを決定することは、
前記第２の値と前記複数の第１の値のそれぞれとの和に従って、前記第２のインデックスのうち、前記１つ又は複数のリソースブロックに対応する１つ又は複数の第２のインデックスｉを決定する、ことをさらに有する、請求項９に記載の端末の位相トラッキング参照信号受信方法。
【請求項１１】
無線通信システムにおいて位相トラッキング参照信号（Phase Tracking Reference Signal；ＰＴ−ＲＳ）を受信するよう構成された端末であって、
少なくとも１つの送受信部と、
少なくとも１つのプロセッサと、
前記少なくとも１つのプロセッサと動作可能に接続可能であり、実行されると前記少なくとも１つのプロセッサに動作を行わせる指示を記憶する、少なくとも１つのコンピュータメモリと、を有し、当該動作は、
第１のインデックスに従って順に番号付けされた複数のリソースブロックのうち、前記端末に割り当てられたＮ個のリソースブロックを決定し、
前記Ｎ個のリソースブロックは、前記第１のインデックスと異なる第２のインデックスに従って０からＮ−１まで順に番号付けされ、ここで、Ｎは、自然数であり、
前記端末に割り当てられたＮ個のリソースブロックのうち、前記ＰＴ−ＲＳがマッピングされる副搬送波を有する１つ又は複数のリソースブロックを決定し、
前記少なくとも１つの送受信部によって、前記１つ又は複数のリソースブロックを介して前記ＰＴ−ＲＳを受信する、ことを有し、
前記ＰＴ−ＲＳがマッピングされる副搬送波を有する１つ又は複数のリソースブロックを決定することは、
（ｉ）前記ＰＴ−ＲＳの周波数密度（frequency density）に関する複数の第１の値と、
（ｉｉ）リソースブロックオフセットに関する単一の第２の値と、の組み合わせに基づき、
前記ＰＴ−ＲＳの周波数密度は、前記端末に割り当てられたＮ個のリソースブロックのためにスケジューリングされた帯域幅に関する、端末。
【請求項１２】
前記ＰＴ−ＲＳの周波数密度は、
２つのリソースブロック当たり１つのＰＴ−ＲＳ、又は４つのリソースブロック当たり１つのＰＴ−ＲＳのいずれかに等しい、請求項１１に記載の端末。
【請求項１３】
前記動作は、
前記少なくとも１つの送受信部によって、前記１つ又は複数のリソースブロック内において、前記ＰＴ−ＲＳがマッピング可能な１つ又は複数の副搬送波候補に関する情報を受信する、ことをさらに有する、請求項１１に記載の端末。
【請求項１４】
前記動作は、
前記１つ又は複数の副搬送波候補のうち、前記ＰＴ−ＲＳに関連付けられた復調参照信号（DeModulation Reference Signal；ＤＭ−ＲＳ）ポートの周波数位置に基づいて、前記ＰＴ−ＲＳがマッピングされる副搬送波の位置を決定する、ことをさらに有する、請求項１３に記載の端末。
【請求項１５】
前記ＰＴ−ＲＳは、前記ＰＴ−ＲＳがマッピングされた副搬送波内の前記関連付けられたＤＭ−ＲＳポートがマッピングされるシンボルの後の少なくとも１つのシンボルにマッピングされる、請求項１４に記載の端末。
【請求項１６】
前記ＰＴ−ＲＳが前記少なくとも１つのシンボルにマッピングされる時間領域パターンは、前記端末にスケジューリングされた変調及び符号化方式（Modulation and Coding Scheme；ＭＣＳ）に基づく、請求項１５に記載の端末。
【請求項１７】
前記１つ又は複数の副搬送波候補に関する情報は、上位層シグナリングによって受信される、請求項１３に記載の端末。
【請求項１８】
２つのＰＴ−ＲＳポートによって受信される複数のＰＴ−ＲＳと、時間領域でコード分割多重化（Code Division Multiplexing in Time domain；ＣＤＭ−Ｔ）される複数の復調参照信号（DeModulation Reference Signal；ＤＭ−ＲＳ）ポートに各々関連付けられる前記２つのＰＴ−ＲＳポートと、に基づいて、
前記２つのＰＴ−ＲＳポートによって受信される複数のＰＴ−ＲＳのそれぞれは、互いに異なるリソースブロックにマッピングされる、請求項１１に記載の端末。
【請求項１９】
前記ＰＴ−ＲＳがマッピングされる副搬送波を有する１つ又は複数のリソースブロックを決定することは、
前記第２の値に基づいて、前記１つ又は複数のリソースブロックのうち、スケジューリングされる最下のリソースブロックに関するオフセットを決定する、ことを有する、請求項１１に記載の端末。
【請求項２０】
前記ＰＴ−ＲＳがマッピングされる副搬送波を有する１つ又は複数のリソースブロックを決定することは、
前記第２の値と前記複数の第１の値のそれぞれとの和に従って、前記第２のインデックスのうち、前記１つ又は複数のリソースブロックに対応する１つ又は複数の第２のインデックスｉを決定する、ことをさらに有する、請求項１９に記載の端末。
【発明の詳細な説明】
【技術分野】
【０００１】
以下の説明は、無線通信システムに関し、無線通信システムにおいて端末が位相トラッキング参照信号を受信する方法及びそれをサポート（支援する）（supporting）装置に関する。
【背景技術】
【０００２】
無線アクセスシステム（無線接続システム）（wireless access systems）が音声やデータなどの種々の通信サービスを提供するために広範囲に展開されている。一般に、無線アクセスシステムは、使用可能な（可用の）（available）システムリソース（帯域幅、送信電力など）を共有して複数のユーザとの通信をサポートできる多元接続（多重接続）（multiple access）システムである。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【０００３】
なお、多数の通信機器がより大きな通信容量を要求することにより、既存のＲＡＴ（Radio Access Technology）に比べて向上したモバイルブロードバンド通信の必要性が高まっている。また、多数の機器やモノ（物事）（things）を接続（連結）し（connecting）て、いつでもどこでも多様なサービスを提供する大規模（massive）ＭＴＣ（Machine Type Communications）が次世代通信において考えられている。さらに、信頼性及び遅延などにセンシティブ（敏感）な（sensitive）サービス／ＵＥを考慮した通信システム設計（デザイン）（system design）も考えられている。
【０００４】
このように向上したモバイルブロードバンド通信、大規模ＭＴＣ、ＵＲＬＬＣ（Ultra-Reliable and Low Latency Communication）などを考慮した次世代ＲＡＴの導入が論議されている。
【発明の概要】
【発明が解決しようとする課題】
【０００５】
本発明の目的は、無線通信システムにおいて端末が位相トラッキング参照信号を受信する方法及びそれをサポートする装置を提供することにある。
【０００６】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００７】
本発明は、無線通信システムにおいて端末が位相トラッキング参照信号（Phase Tracking Reference Signal；ＰＴ−ＲＳ）を受信する方法及びそのための装置を提供する。
【０００８】
本発明の一態様であって、無線通信システムにおいて端末が位相トラッキング参照信号（Phase Tracking Reference Signal；ＰＴ−ＲＳ）を受信する方法であって、端末に割り当てられた帯域幅に基づいてＰＴ−ＲＳの周波数密度（frequency density）を決定し、該端末に割り当てられた全リソースブロックに対する新しいリソースブロックインデックスと決定されたＰＴ−ＲＳの周波数密度とに基づいて決定されるＰＴ−ＲＳがマッピングされるリソースブロックでＰＴ−ＲＳを受信する、ことを有する、端末の位相トラッキング参照信号受信方法を提案する。
【０００９】
本発明の他の態様であって、無線通信システムにおいて位相トラッキング参照信号（Phase Tracking Reference Signal；ＰＴ−ＲＳ）を受信する端末であって、受信部と、該受信部に接続されて動作するプロセッサと、を有し、該プロセッサは、端末に割り当てられた帯域幅に基づいてＰＴ−ＲＳの周波数密度（frequency density）を決定し、端末に割り当てられた全リソースブロックに対する新しいリソースブロックインデックス及び該決定されたＰＴ−ＲＳの周波数密度に基づいて決定されるリソースブロックでＰＴ−ＲＳを受信するように構成される、端末を提案する。
【００１０】
この構成において、ＰＴ−ＲＳの周波数密度は、２つのリソースブロック当たり１つのＰＴ−ＲＳ、又は４つのリソースブロック当たり１つのＰＴ−ＲＳのうちの１つの値を有する。
【００１１】
また、この構成において、端末に割り当てられた全リソースブロックに対する新しいリソースブロックインデックスとしては、端末に割り当てられた全リソースブロックに対する仮想リソースブロックインデックスが適用される。このとき、仮想リソースブロックインデックスは、端末に割り当てられた全リソースブロックのインデックスの順に番号付けされる。
【００１２】
また、この構成において、端末は、ＰＴ−ＲＳがマッピングされるリソースブロック内において、ＰＴ−ＲＳがマッピング可能な１つ又は複数の副搬送波を指示する情報を受信する。
【００１３】
このとき、端末は、１つ又は複数の副搬送波のうち、ＰＴ−ＲＳと関係を有する復調参照信号（DeModulation Reference Signal；ＤＭ−ＲＳ）ポートの周波数位置に基づいて、ＰＴ−ＲＳがマッピングされる少なくとも１つの副搬送波の位置を決定する。
【００１４】
ここで、情報は、上位層シグナリングにより受信される。
【００１５】
また、ＰＴ−ＲＳは、ＰＴ−ＲＳがマッピングされた少なくとも１つの副搬送波内の対応するＤＭ−ＲＳポートがマッピングされるシンボル以後の少なくとも１つのシンボルにマッピングされて受信される。
【００１６】
ここで、ＰＴ−ＲＳが少なくとも１つのシンボルにマッピングされる時間領域（ドメイン）（domain）パターンは、端末にスケジューリングされた変調及び符号化方式（Modulation and Coding Scheme；ＭＣＳ）に基づいて決定される。
【００１７】
また、ＰＴ−ＲＳが２つのＰＴ−ＲＳポートで受信され、該２つのＰＴ−ＲＳポートが時間領域でコード分割多重化（Code Division Multiplexing in Time Domain；ＣＤＭ−Ｔ）される複数の復調参照信号（DeModulation Reference Signal；ＤＭ−ＲＳ）ポートに各々関連付けられる（連関する）（associated with）場合、２つのＰＴ−ＲＳポートで送信されるＰＴ−ＲＳは、互いに異なるリソースブロックにマッピングされて受信される。
【００１８】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００１９】
本発明の実施例によれば、次のような効果がある。
【００２０】
本発明によれば、本発明が適用可能な無線通信システムにおいて、端末は、他の参照信号との衝突を最少にしながら位相トラッキング参照信号を受信することができる。
【００２１】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００２２】
【図１】物理チャネル及びそれらを用いた信号送信方法を説明する図である。
【図２】無線フレームの構造の一例を示す図である。
【図３】下りリンクスロットに対するリソースグリッド（resource grid）を例示する図である。
【図４】上りリンクサブフレームの構造の一例を示す図である。
【図５】下りリンクサブフレームの構造の一例を示す図である。
【図６】本発明に適用可能なセルフサブフレームの構造（Self-Contained subframe structure）を示す図である。
【図７】ＴＸＲＵとアンテナエレメント（要素）（antenna elements）との代表的な接続方式を示す図である。
【図８】ＴＸＲＵとアンテナエレメントとの代表的な接続方式を示す図である。
【図９】本発明の一例によるＴＸＲＵ及び物理アンテナの観点におけるハイブリッドビームフォーミング（形成）（beamforming）構造を簡単に示す図である。
【図１０】本発明の一例による下りリンク（DownLink、ＤＬ）の送信過程（処理、プロセス）（process）において、同期信号（Synchronization signal）及びシステム情報（System information）に対するビームスウィーピング（掃引）（Beam sweeping）動作を簡単に示す図である。
【図１１】本発明の一例による端末のＤＭ−ＲＳ及びＰＴ−ＲＳの送信動作を簡単に示す図である。
【図１２】本発明の他の例によるＤＭ−ＲＳ及びＰＴ−ＲＳのマッピングパターンを簡単に示す図である。
【図１３】本発明のさらに他の例によるＤＭ−ＲＳ及びＰＴ−ＲＳのマッピングパターンを簡単に示す図である。
【図１４】本発明の一例によりＰＴ−ＲＳの周波数位置が予め決定された例を示す図である。
【図１５】本発明に適用可能なＰＴ−ＲＳの周波数パターンを簡単に示す図である。
【図１６】２つの互いに異なるＤＭ−ＲＳポートグループが端末に各々送信される場合を示す図である。
【図１７】ＤＭ−ＲＳポートグループごとのＰＴ−ＲＳが定義される場合、起こり得る（発生可能な）（that may occur）問題点を簡単に示す図である。
【図１８】本発明の一例によるＰＴ−Ｒポートのマッピング例を簡単に示す図である。
【図１９】本発明の他の例によるＰＴ−ＲＳのマッピング例を簡単に示す図である。
【図２０】本発明の他の例によるＰＴ−ＲＳのマッピング例を簡単に示す図である。
【図２１】本発明に適用可能なＣＳＩ−ＲＳ及びＰＴ−ＲＳのマッピングパターンの一例を簡単に示す図である。
【図２２】本発明に適用可能なＣＳＩ−ＲＳ及びＰＴ−ＲＳのマッピングパターンの一例を簡単に示す図である。
【図２３】本発明に適用可能なＰＴ−ＲＳの潜在的リソース位置を簡単に示す図である。
【図２４】本発明に適用可能なＰＴ−ＲＳの潜在的リソース位置を簡単に示す図である。
【図２５】特定のＰＴ−ＲＳの潜在的リソース位置が指示された場合、端末が対応するＰＴ−ＲＳポートのマッピング位置を決定する方法を説明する図である。
【図２６】本発明の一例によるＰＴ−ＲＳのマッピングパターンを簡単に示す図である。
【図２７】本発明の一例による端末のＰＴ−ＲＳの受信方法を簡単に示す流れ図である。
【図２８】提案する実施例を具現できる端末及び基地局の構成を示す図である。
【発明を実施するための形態】
【００２３】
添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号（reference numerals）は、構造的構成要素（structural elements）を意味する。
【００２４】
以下の実施例は、本発明の構成要素及び特徴を所定の形態で組み合わせたものである。各構成要素又は特徴は、別の明示的言及がない限り、選択的なものとして考慮することができる。各構成要素又は特徴は、別の構成要素や特徴と組み合わせない形態で実施されてもよく、一部の構成要素及び／又は特徴を組み合わせて本発明の実施例を構成してもよい。本発明の実施例において説明される動作の順序は、変更されてもよい。ある実施例の一部の構成や特徴は、他の実施例に含まれてもよく、他の実施例の対応する構成又は特徴に置き換えられてもよい。
【００２５】
図面に関する説明において、本発明の要旨を曖昧にさせ得る手順又は段階などは記述を省略し、当業者のレベルで理解可能な程度の手順又は段階も記述を省略する。
【００２６】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書における“…部”、“…器”、“モジュール”などの用語は、少なくとも１つの機能や動作を処理する単位を意味し、これは、ハードウェア、ソフトウェア、又はハードウェアとソフトウェアとの組み合せによって具現することができる。また、「ある（a又はａｎ）」、「１つ（one）」、「その（the）」及び類似（同様）の関連語は、本発明を記述する文脈において（特に、添付の請求項の文脈において）本明細書に別に指示されたり文脈によって明らかに反駁されない限り、単数及び複数の両方を含む意味で使うことができる。
【００２７】
この明細書において、本発明の実施例は、基地局と移動局との間のデータ送受信関係を中心に説明されている。ここで、基地局は、移動局と通信を直接行うネットワークの終端ノード（terminal node）としての意味を有する。本文書において基地局によって行われるとされている特定の動作は、場合によっては、基地局の上位ノード（upper node）によって行われてもよい。
【００２８】
即ち、基地局を含む複数のネットワークノード（network node）からなるネットワークにおいて、移動局との通信のために行われる様々な動作は、基地局、又は基地局以外の他のネットワークノードで行うことができる。このとき、「基地局」は、固定局（fixed station）、Ｎｏｄｅ  Ｂ、ｅＮｏｄｅ  Ｂ（ｅＮＢ）、ｇＮｏｄｅ  Ｂ（ｇＮＢ）、発展した基地局（ＡＢＳ：Advanced Base Station）又はアクセスポイント（access point）などの用語に言い換えることができる。
【００２９】
また、本発明の実施例において、端末（Terminal）は、ユーザ機器（ＵＥ：User Equipment）、移動局（ＭＳ：Mobile Station）、加入者端末（ＳＳ：Subscriber Station）、移動加入者端末（ＭＳＳ：Mobile Subscriber Station）、移動端末（Mobile Terminal）、又は発展した移動端末（ＡＭＳ：Advanced Mobile Station）などの用語に言い換えることができる。
【００３０】
また、送信端は、データサービス又は音声サービスを提供する固定及び／又は移動ノードを意味し、受信端は、データサービス又は音声サービスを受信する固定及び／又は移動ノードを意味する。したがって、上りリンクでは、移動局を送信端にし、基地局を受信端にすることができる。同様に、下りリンクでは、移動局を受信端にし、基地局を送信端にすることができる。
【００３１】
本発明の実施例は、無線アクセスシステムであるＩＥＥＥ  ８０２．ｘｘシステム、３ＧＰＰ（3rd Generation Partnership Project）システム、３ＧＰＰ  ＬＴＥシステム及び３ＧＰＰ  ５Ｇ  ＮＲシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１、３ＧＰＰ  ＴＳ  ３６．３３１、３ＧＰＰ  ＴＳ  ３８．２１１、３ＧＰＰ  ＴＳ  ３８．２１２、３ＧＰＰ  ＴＳ  ３８．２１３、３ＧＰＰ  ＴＳ  ３８．３２１及び３ＧＰＰ  ＴＳ  ３８．３３１の文書によってサポートすることができる。即ち、本発明の実施例のうち、説明していない自明な段階又は部分は、上記文書を参照して説明することができる。また、本文書に開示している用語は、いずれも、上記標準文書によって説明することができる。
【００３２】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３３】
また、本発明の実施例で使われる特定の用語は、本発明の理解し易さのために提供されるものであり、このような特定の用語の使用は、本発明の技術的思想を逸脱しない範囲で他の形態に変更されてもよい。
【００３４】
例えば、送信機会区間（ＴｘＯＰ：Transmission Opportunity Period）という用語は、送信区間、送信バースト（Tx burst）又はＲＲＰ（Reserved Resource Period）という用語と同じ意味で使うことができる。また、ＬＢＴ（Listen Before Talk）過程は、チャネル状態がアイドル（遊休）（idle）であるか否かを判断するためのキャリアセンシング過程、ＣＣＡ（Clear Channel Assessment）、チャネル接続過程（ＣＡＰ：Channel Access Procedure）と同じ目的で行うことができる。
【００３５】
以下、本発明の実施例を利用可能な無線アクセスシステムの一例として３ＧＰＰ  ＬＴＥ／ＬＴＥ−Ａシステムについて説明する。
【００３６】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線アクセスシステムに適用することができる。
【００３７】
ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ  ８０２．１１（Wi-Fi）、ＩＥＥＥ  ８０２．１６（WiMAX）、ＩＥＥＥ  ８０２−２０、Ｅ−ＵＴＲＡ（Evolved UTRA）などの無線技術によって具現することができる。
【００３８】
ＵＴＲＡは、ＵＭＴＳ（Universal Mobile Telecommunications System）の一部である。３ＧＰＰ  ＬＴＥ（Long Term Evolution）は、Ｅ−ＵＴＲＡを用いるＥ−ＵＭＴＳ（Evolved UMTS）の一部であり、下りリンクでＯＦＤＭＡを採用し、上りリンクでＳＣ−ＦＤＭＡを採用する。ＬＴＥ−Ａ（Advanced）システムは、３ＧＰＰ  ＬＴＥシステムを改良したシステムである。本発明の技術的特徴に関する説明を明確にするために、本発明の実施例は、３ＧＰＰ  ＬＴＥ／ＬＴＥ−Ａシステムを中心に述べられるが、ＩＥＥＥ  ８０２．１６ｅ／ｍシステムなどに適用されてもよい。
【００３９】
１．３ＧＰＰ  ＬＴＥ／ＬＴＥ  Ａ  システム
【００４０】
１．１．物理チャネル及びこれを用いた信号送受信方法
【００４１】
無線アクセスシステムにおいて、端末は、下りリンク（ＤＬ：DownLink）で基地局から情報を受信し、上りリンク（ＵＬ：UpLink）で基地局に情報を送信する。基地局と端末とが送受信する情報は、一般データ情報及び種々の制御情報を含み、基地局と端末とが送受信する情報の種類／用途によって様々な物理チャネルが存在する。
【００４２】
図１は、本発明の実施例で使用可能な物理チャネル及びそれらを用いた信号送信方法を説明する図である。
【００４３】
電源が消えた状態で電源が入ったり、新しくセルに進入したりした端末は、Ｓ１１段階で、基地局と同期を取るなどの初期セルサーチ（探索）（Initial cell search）作業を行う。そのために、端末は、基地局から、プライマリ（主）同期チャネル（Ｐ−ＳＣＨ：Primary Synchronization CHannel）及びセカンダリ（副）同期チャネル（Ｓ−ＳＣＨ：Secondary Synchronization CHannel）を受信して基地局と同期を取り、セルＩＤなどの情報を取得する。
【００４４】
その後、端末は、基地局から物理ブロードキャストチャネル（ＰＢＣＨ：Physical Broadcast CHannel）信号を受信してセル内ブロードキャスト情報を取得することができる。
【００４５】
一方、端末は、初期セルサーチ段階で下りリンク参照信号（ＤＬ  ＲＳ：DownLink Reference Signal）を受信して下りリンクチャネル状態を確認することができる。
【００４６】
初期セルサーチを終えた端末は、Ｓ１２段階で、物理下りリンク制御チャネル（ＰＤＣＣＨ：Physical Downlink Control CHannel）、及び物理下りリンク制御チャネル情報に対応する物理下りリンク共有チャネル（ＰＤＳＣＨ：Physical Downlink Control CHannel）を受信して、より具体的なシステム情報を取得することができる。
【００４７】
その後、端末は、基地局への接続を完了するために、段階Ｓ１３〜段階Ｓ１６のようなランダムアクセス過程（Random Access Procedure）を行うことができる。そのために、端末は、物理ランダムアクセスチャネル（ＰＲＡＣＨ：Physical Random Access CHannel）でプリアンブル（preamble）を送信し（Ｓ１３）、物理下りリンク制御チャネル及びそれに対応する物理下りリンク共有チャネルでプリアンブルに対する応答メッセージを受信することができる（Ｓ１４）。コンテンション（競合）ベースの（contention-based）ランダムアクセスでは、端末は、更なる物理ランダムアクセスチャネル信号の送信（Ｓ１５）、並びに物理下りリンク制御チャネル信号及びそれに対応する物理下りリンク共有チャネル信号の受信（Ｓ１６）などの衝突解決手順（Contention Resolution Procedure）を行うことができる。
【００４８】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Physical Uplink Shared CHannel）信号及び／又は物理上りリンク制御チャネル（ＰＵＣＣＨ：Physical Uplink Control CHannel）信号の送信（Ｓ１８）を行うことができる。
【００４９】
端末が基地局に送信する制御情報を総称して上りリンク制御情報（ＵＣＩ：Uplink Control Information）という。ＵＣＩは、ＨＡＲＱ−ＡＣＫ／ＮＡＣＫ（Hybrid Automatic Repeat and reQuest ACKnowledgement/Negative-ACK）、ＳＲ（Scheduling Request）、ＣＱＩ（Channel Quality Indication）、ＰＭＩ（Precoding Matrix Indication）、ＲＩ（Rank Indication）情報などを含む。
【００５０】
ＬＴＥシステムにおいて、ＵＣＩは、一般的にＰＵＣＣＨで周期的に送信されるが、制御情報とトラフィックデータとが同時に送信されるべき場合には、ＰＵＳＣＨで送信されてもよい。また、ネットワークの要求／指示によって、ＰＵＳＣＨでＵＣＩを非周期的に送信することもできる。
【００５１】
１．２．リソースの構造
【００５２】
図２は、本発明の実施例で用いられる無線フレームの構造を示す図である。
【００５３】
図２（ａ）には、フレーム構造タイプ１（タイプ１フレーム構造）（frame structure type1）を示す。フレーム構造タイプ１は、全二重（full duplex）ＦＤＤ（Frequency Division Duplex）システムにも半二重（half duplex）ＦＤＤシステムにも適用可能である。
【００５４】
１つの無線フレーム（radio frame）は、Ｔf＝３０７２００×Ｔs＝１０ｍｓの長さを有するものであり、Ｔslot＝１５３６０×Ｔｓ＝０．５ｍｓの均等な長さを有し、０〜１９のインデックスが与えられた２０個のスロットで構成される。１つのサブフレームは、２個の連続したスロットで定義され、ｉ番目のサブフレームは、２ｉ及び２ｉ＋１に該当するスロットで構成される。すなわち、無線フレーム（radio frame）は、１０個のサブフレーム（subframe）で構成される。１つのサブフレームを送信するためにかかる時間をＴＴＩ（Transmission Time Interval）という。ここで、Ｔsは、サンプリング時間を表し、Ｔs＝１／（１５ｋＨｚ×２０４８）＝３．２５５２×１０-8（約３３ｎｓ）と表される。スロットは、時間領域において複数のＯＦＤＭシンボル又はＳＣ−ＦＤＭＡシンボルを含み、周波数領域において複数のリソースブロック（Resource Block）を含む。
【００５５】
１つのスロットは、時間領域において複数のＯＦＤＭ（Orthogonal Frequency Division Multiplexing）シンボルを含む。３ＧＰＰ  ＬＴＥでは、下りリンクにおいてＯＦＤＭＡが用いられるので、ＯＦＤＭシンボルは、１つのシンボル区間（symbol period）を表現するためのものである。ＯＦＤＭシンボルは、１つのＳＣ−ＦＤＭＡシンボル又はシンボル区間ということができる。リソースブロック（resource block）は、リソース割り当て単位であり、１つのスロットで複数の連続した副搬送波（subcarrier）を含む。
【００５６】
全二重ＦＤＤシステムでは、各１０ｍｓ区間において１０個のサブフレームを下りリンク送信と上りリンク送信とのために同時に利用することができる。このとき、上りリンク送信と下りリンク送信とは、周波数領域において分離される。これに対し、半二重ＦＤＤシステムでは、端末が送信と受信とを同時に行うことができない。
【００５７】
上述した無線フレームの構造は、１つの例に過ぎず、無線フレームに含まれるサブフレームの数、サブフレームに含まれるスロットの数、又はスロットに含まれるＯＦＤＭシンボルの数は、様々に変更されてもよい。
【００５８】
図２（ｂ）には、フレーム構造タイプ２（タイプ２フレーム構造）（frame structure type2）を示す。フレーム構造タイプ２は、ＴＤＤシステムに適用される。１つの無線フレーム（radio frame）は、Ｔf＝３０７２００×Ｔｓ＝１０ｍｓの長さを有し、１５３６００×Ｔｓ＝５ｍｓの長さを有する２個のハーフフレーム（half-frame）で構成される。各ハーフフレームは、３０７２０×Ｔs＝１ｍｓの長さを有する５個のサブフレームで構成される。ｉ番目のサブフレームは、２ｉ及び２ｉ＋１に該当する各Ｔslot＝１５３６０×Ｔｓ＝０．５ｍｓの長さを有する２個のスロットで構成される。ここで、Ｔsはサンプリング時間を表し、Ｔs＝１／（１５ｋＨｚ×２０４８）＝３．２５５２×１０-8（約３３ｎｓ）と表される。
【００５９】
フレームタイプ２には、ＤｗＰＴＳ（Downlink Pilot Time Slot）、ガード（保護）区間（ＧＰ：Guard Period）、ＵｐＰＴＳ（Uplink Pilot Time Slot）の３つのフィールドで構成されるスペシャル（特別）（special）サブフレームが含まれる。ここで、ＤｗＰＴＳは、端末における初期セルサーチ、同期化又はチャネル推定に用いられる。ＵｐＰＴＳは、基地局におけるチャネル推定及び端末との上り伝送同期化に用いられる。ガード区間は、上りリンクと下りリンクとの間で、下りリンク信号のマルチパス（多重経路）（multi-path）遅延による上りリンクにおける干渉を除去するための区間である。
【００６０】
次の表１は、スペシャルフレームの構成（ＤｗＰＴＳ／ＧＰ／ＵｐＰＴＳの長さ）を表す。
【００６１】
［表１］
【表１】
0006861280.tif 000002
【００６２】
また、ＬＴＥ  Ｒｅｌ−１３システムにおいては、スペシャルフレームの構成（ＤｗＰＴＳ／ＧＰ／ＵｐＰＴＳの長さ）が下記の表のようにＸ（追加的なＳＣ−ＦＤＭＡのシンボルの数、上位層パラメータｓｒｓ−ＵｐＰｔｓＡｄｄにより提供され、パラメータが設定されないと、Ｘは０である）を考慮して設定される構成が新しく追加されており、ＬＴＥ  Ｒｅｌ−１４システムにおいては、Ｓｐｅｃｉａｌ  ｓｕｂｆｒａｍｅ  ｃｏｎｆｉｇｕｒａｔｉｏｎ＃１０が新しく追加されている。ここで、ＵＥは、下りリンクにおけるノーマルＣＰのためのＳｐｅｃｉａｌ  ｓｕｂｆｒａｍｅ  ｃｏｎｆｉｇｕｒａｔｉｏｎｓ｛３，４，７，８｝及び下りリンクにおける拡張ＣＰのためのＳｐｅｃｉａｌ  ｓｕｂｆｒａｍｅ  ｃｏｎｆｉｇｕｒａｔｉｏｎｓ｛２，３，５，６｝に対して２つの追加ＵｐＰＴＳ  ＳＣ−ＦＤＭＡシンボルが設定されることを期待しない。さらに、ＵＥは、下りリンクにおけるノーマルＣＰのためのＳｐｅｃｉａｌ  ｓｕｂｆｒａｍｅ  ｃｏｎｆｉｇｕｒａｔｉｏｎｓ｛１，２，３，４，６，７，８｝及び下りリンクにおける拡張ＣＰのためのＳｐｅｃｉａｌ  ｓｕｂｆｒａｍｅ  ｃｏｎｆｉｇｕｒａｔｉｏｎｓ｛１，２，３，５，６｝に対して４つの追加ＵｐＰＴＳ  ＳＣ−ＦＤＭＡシンボルが設定されることを期待しない。（The UE is not expected to be configured with 2 additional UpPTS SC-FDMA symbols for special subframe configurations｛3,4,7,8｝ for normal cyclic prefix in downlink and special subframe configurations｛2,3,5,6｝ for extended cyclic prefix in downlink and 4 additional UpPTS SC-FDMA symbols for special subframe configurations｛1,2,3,4,6,7,8｝ for normal cyclic prefix in downlink and special subframe configurations｛1,2,3,5,6｝ for extended cyclic prefix in downlink）
【００６３】
［表２］
【表２】
0006861280.tif 000003
【００６４】
図３は、本発明の実施例で利用可能な下りリンクスロットに対するリソースグリッド（resource grid）を例示する図である。
【００６５】
図３を参照すると、１つの下りリンクスロットは、時間領域において複数のＯＦＤＭシンボルを含む。ここで、１つの下りリンクスロットは、７個のＯＦＤＭシンボルを含み、１つのリソースブロックは、周波数領域において１２個の副搬送波を含むとしているが、これに限定されるものではない。
【００６６】
リソースグリッド上で各要素をリソースエレメントといい、１つのリソースブロックは、１２×７個のリソースエレメントを含む。下りリンクスロットに含まれるリソースブロックの数ＮDLは、下りリンク送信帯域幅（bandwidth）に依存（従属）する（depends on）。
【００６７】
図４には、本発明の実施例で利用可能な上りリンクサブフレームの構造を示す。
【００６８】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波の特性を維持するため、１つの端末は、ＰＵＣＣＨとＰＵＳＣＨとを同時に送信しない。１つの端末に対するＰＵＣＣＨには、サブフレーム内にＲＢ対が割り当てられる。ＲＢ対に属するＲＢは、２個のスロットのそれぞれにおいて異なる副搬送波を占める。このようなＰＵＣＣＨに割り当てられたＲＢ対は、スロット境界（slot boundary）で周波数ホッピング（跳躍）（frequency hopping）する、という。
【００６９】
図５は、本発明の実施例で利用可能な下りリンクサブフレームの構造を示す図である。
【００７０】
図５を参照すると、サブフレームにおける１番目のスロットにおいてＯＦＤＭシンボルインデックス０から最大で３個までのＯＦＤＭシンボルは、制御チャネルが割り当てられる制御領域（control region）であり、残りのＯＦＤＭシンボルは、ＰＤＳＣＨが割り当てられるデータ領域（data region）である。３ＧＰＰ  ＬＴＥで用いられる下りリンク制御チャネルの例には、ＰＣＦＩＣＨ（Physical Control Format Indicator CHannel）、ＰＤＣＣＨ、ＰＨＩＣＨ（Physical Hybrid-ARQ Indicator CHannel）などがある。
【００７１】
ＰＣＦＩＣＨは、サブフレームの１番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Hybrid Automatic Repeat reQuest）に対するＡＣＫ（ACKnowledgement）／ＮＡＣＫ（Negative-ACKnowledgement）信号を搬送する。ＰＤＣＣＨで送信される制御情報を下りリンク制御情報（ＤＣＩ：Downlink Control Information）という。下りリンク制御情報は、上りリンクリソース割り当て情報、下りリンクリソース割り当て情報、又は任意の端末グループに対する上りリンク送信（Ｔｘ）電力制御命令を含む。
【００７２】
２．新しい無線アクセス技術（New Radio Access Technology）システム
【００７３】
多数の通信機器がより大きな通信容量を要求することにより、既存の無線アクセス技術（Radio Access Technology、ＲＡＴ）に比べて向上した端末広帯域（Mobile Broadband）通信の必要性が高まっている。また、多数の機器やモノを接続して、いつでもどこでも多様なサービスを提供する大規模（massive）ＭＴＣ（Machine Type Communications）も必要となっている。さらに、信頼性及び遅延などにセンシティブなサービス／ＵＥを考慮した通信システムのデザインが提示されている。
【００７４】
このように向上した端末広帯域通信（Enhanced mobile broadband communication）、大規模ＭＴＣ、ＵＲＬＬＣ（Ultra-Reliable and Low Latency Communication）などを考慮した新しい無線アクセス技術であって、新しい無線アクセス技術システムが提案されている。以下、本発明では、便宜上、該当技術をＮｅｗ  ＲＡＴ又はＮＲ（New Radio）と称する。
【００７５】
２．１．ニューマロロジ（Numerologies）
【００７６】
本発明が適用可能なＮＲシステムにおいては、以下の表のような様々なＯＦＤＭニューマロロジがサポートされている。このとき、搬送波帯域幅の部分（carrier bandwidth part）ごとのμ及びサイクリックプリフィックス（循環前置）（cyclic prefix）情報は、下りリンク（ＤＬ）又は上りリンク（ＵＬ）ごとに各々シグナリングされる。一例として、下りリンク搬送波帯域幅の部分（downlink carrier bandwidth part）のためのμ及びサイクリックプリフィックス（cyclic prefix）情報は、上位層シグナリングＤＬ−ＢＷＰ−ｍｕ及びＤＬ−ＭＷＰ−ｃｐを通じてシグナリングされる。他の例として、上りリンク搬送波帯域幅の部分（uplink carrier bandwidth part）のためのμ及びサイクリックプリフィックス（cyclic prefix）情報は、上位層シグナリングＵＬ−ＢＷＰ−ｍｕ及びＵＬ−ＭＷＰ−ｃｐを通じてシグナリングされる。
【００７７】
［表３］
【表３】
0006861280.tif 000004
【００７８】
２．２．フレーム構造
【００７９】
下りリンク及び上りリンクの伝送（送信）（transmission）は、長さが１０ｍｓのフレームで構成される。フレームは、長さが１ｍｓの１０個のサブフレームで構成される。このとき、各々のサブフレームごとに連続するＯＦＤＭシンボルの数は、
0006861280.tif 000005
である。
【００８０】
各々のフレームは、２つの同じサイズのハーフフレーム（half-frame）で構成される。このとき、各々のハーフフレームは、サブフレーム０−４及びサブフレーム５−９で構成される。
【００８１】
副搬送波間隔（subcarrier spacing）μに対して、スロットは、１つのサブフレーム内において昇順に
0006861280.tif 000006
のようにナンバリングされ、１つのフレーム内において昇順に
0006861280.tif 000007
のようにナンバリングされる。このとき、１つのスロット内に連続するＯＦＤＭシンボルの数
0006861280.tif 000008
は、サイクリックプリフィックスによって以下の表のように決定される。１つのサブフレーム内の開始スロット
0006861280.tif 000009
は、同じサブフレーム内の開始ＯＦＤＭシンボル
0006861280.tif 000010
と時間の次元で整列されている（aligned）。以下の表３は、ノーマルサイクリックプリフィックス（一般循環前置）（normal cyclic prefix）のためのスロットごと／フレームごと／サブフレームごとのＯＦＤＭシンボルの数を示し、表４は、拡張サイクリックプリフィックス（拡張された循環前置）（extended cyclic prefix）のためのスロットごと／フレームごと／サブフレームごとのＯＦＤＭシンボルの数を示す。
【００８２】
［表４］
【表４】
0006861280.tif 000011
【００８３】
［表５］
【表５】
0006861280.tif 000012
【００８４】
本発明が適用可能なＮＲシステムにおいては、上記のようなスロット構造であって、セルフスロット構造（Self-Contained subframe structure）が適用されている。
【００８５】
図６は、本発明に適用可能なセルフサブフレーム構造（Self-Contained subframe structure）を示す図である。
【００８６】
図６において、斜線領域（例えば、ｓｙｍｂｏｌ  ｉｎｄｅｘ＝０）は、下りリンク制御（downlink control）領域を示し、黒色領域（例えば、ｓｙｍｂｏｌ  ｉｎｄｅｘ＝１３）は、上りリンク制御（uplink control）領域を示す。その他の領域（例えば、ｓｙｍｂｏｌ  ｉｎｄｅｘ＝１〜１２）は、下りリンクデータ伝送又は上りリンクデータ伝送のために使用される。
【００８７】
このような構造により、基地局及びＵＥは、１つのスロット内でＤＬ伝送とＵＬ伝送とを順次行うことができ、１つのスロット内でＤＬデータを送受信し、これに対するＵＬ  ＡＣＫ／ＮＡＣＫも送受信することができる。結果として、この構造では、データ伝送エラーの発生時にデータの再伝送までにかかる時間を短縮させることにより、最終データ伝達の遅延を最小にすることができる。
【００８８】
このようなセルフスロット構造においては、基地局及びＵＥが送信モードから受信モードに、又は受信モードから送信モードに転換するために一定時間の長さのタイムギャップ（time gap）が必要である。このために、セルフスロット構造において、ＤＬからＵＬに転換される時点の一部のＯＦＤＭシンボルは、ガード区間（Guard Period、ＧＰ）として設定されることができる。
【００８９】
以上では、セルフスロット構造がＤＬ制御領域及びＵＬ制御領域を全て含む場合を説明したが、制御領域は、セルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【００９０】
一例として、スロットは、様々なスロットフォーマットを有することができる。このとき、各々のスロットのＯＦＤＭシンボルは、下りリンク（‘Ｄ’と表す）、フレキシブル（‘Ｘ’と表す）及び上りリンク（‘Ｕ’と表す）に分類される。
【００９１】
したがって、下りリンクスロットにおいて、ＵＥは、下りリンク伝送が‘Ｄ’及び‘Ｘ’シンボルでのみ発生すると仮定できる。同様に、上りリンクスロットにおいて、ＵＥは、上りリンク伝送が‘Ｕ’及び‘Ｘ’シンボルでのみ発生すると仮定できる。
【００９２】
２．３．アナログビームフォーミング（形成）（Analog Beamforming）
【００９３】
ミリ波（Millimeter Wave、ｍｍＷ）は波長が短いので、同一面積に多数のアンテナエレメント（要素）（element）の設置が可能である。即ち、３０ＧＨｚ帯域において、波長は、１ｃｍであるので、５×５ｃｍのパネルに０．５ｌａｍｂｄａ（波長）間隔で２次元（2-dimension）配列する場合、合計１００個のアンテナエレメントを設けることができる。これにより、ミリ波（mmW）では、多数のアンテナエレメントを使用してビームフォーミング（BeamForming、ＢＦ）利得を上げてカバレッジを増加させるか、或いはスループット（throughput）を向上させることができる。
【００９４】
このとき、アンテナエレメントごとに伝送電力（パワー）（power）及び位相の調節ができるように、各々のアンテナエレメントは、ＴＸＲＵ（Transceiver）を含む。これにより、各々のアンテナエレメントは、周波数リソースごとに独立したビームフォーミングを行うことができる。
【００９５】
しかしながら、１００余個の全てのアンテナエレメントにＴＸＲＵを設けることは、コストの面で実効性が乏しい。したがって、１つのＴＸＲＵに多数（複数）のアンテナエレメントをマッピングし、アナログ位相シフタ（analog phase shifter）でビーム方向を調節する方式が考えられている。かかるアナログビームフォーミング方式では、全帯域において１つのビーム方向しか形成できないので、周波数選択ビームフォーミングが難しいという短所がある。
【００９６】
これを解決するために、デジタルビームフォーミング及びアナログビームフォーミングの中間形態として、Ｑ個のアンテナエレメントより少ない数のＢ個のＴＸＲＵを有するハイブリッドビームフォーミング（hybrid BF）が考えられる。この場合、Ｂ個のＴＸＲＵとＱ個のアンテナエレメントとの接続方式によって差（違い）はあるが、同時に伝送可能なビームの方向は、Ｂ個以下に制限される。
【００９７】
図７及び図８は、ＴＸＲＵとアンテナエレメント（element）との代表的な接続方式を示す図である。ここで、ＴＸＲＵ仮想化（virtualization）モデルは、ＴＸＲＵの出力信号とアンテナエレメントの出力信号との関係を示す。
【００９８】
図７は、ＴＸＲＵがサブアレイ（sub-array）に接続された方式を示している。図７の場合、アンテナエレメントは、１つのＴＸＲＵのみに接続される。
【００９９】
反面、図８は、ＴＸＲＵが全てのアンテナエレメントに接続された方式を示している。図８の場合、アンテナエレメントは、全てのＴＸＲＵに接続される。このとき、アンテナエレメントが全てのＴＸＲＵに接続されるためには、図８に示したように、別の加算器が必要である。
【０１００】
図７及び図８において、Ｗは、アナログ位相シフタ（analog phase shifter）により乗じられる位相ベクトルを示す。即ち、Ｗは、アナログビームフォーミングの方向を決定する主要パラメータである。ここで、ＣＳＩ−ＲＳアンテナポートと複数のＴＸＲＵとのマッピングは、１：１又は１：多である。
【０１０１】
図７の構成によれば、ビームフォーミングの集束（フォーカシング）が難しいという短所があるが、全てのアンテナ構成を低価で構成できるという長所がある。
【０１０２】
図８の構成によれば、ビームフォーミングの集束が容易であるという長所がある。但し、全てのアンテナエレメントにＴＸＲＵが接続されるので、全体のコストが増加するという短所がある。
【０１０３】
本発明が適用可能なＮＲシステムにおいて、複数のアンテナが使用される場合、デジタルビームフォーミング（Digital beamforming）とアナログビームフォーミングとを組み合わせたハイブリッドビームフォーミング（hybrid beamforming）方式が適用される。このとき、アナログビームフォーミング（又はＲＦ（Radio Frequency）ビームフォーミング）は、ＲＦ端でプリコーディング（又は組み合わせ（combining））を行う動作を意味する。また、ハイブリッドビームフォーミングにおいて、ベースバンド（baseband）端（end）及びＲＦ端は、各々プリコーティング（又は組み合わせ）を行う。これにより、ＲＦチェーンの数及びＤ／Ａ（Digital To Analog）（又はＡ／Ｄ（Analog To Digital））コンバータの数を減らしながら、デジタルビームフォーミングに近い性能（performance）を得られるという長所がある。
【０１０４】
説明の便宜上、ハイブリッドビームフォーミングの構造は、Ｎ個の送受信端（Transceiver Unit、ＴＸＲＵ）とＭ個の物理アンテナとで表すことができる。このとき、送信端から伝送するＬ個のデータ層（digital layer）に対するデジタルビームフォーミングは、Ｎ×Ｌ（N by L）行列で表される。その後、変換されたＮ個のデジタル信号は、ＴＸＲＵを介してアナログ信号に変換され、変換された信号に対してＭ×Ｎ（M by N）行列で表されるアナログビームフォーミングが適用される。
【０１０５】
図９は、本発明の一例によるＴＸＲＵ及び物理アンテナの観点におけるハイブリッドビームフォーミングの構造を簡単に示す図である。このとき、図９において、デジタルビームの数はＬ個であり、アナログビームの数はＮ個である。
【０１０６】
さらに、本発明が適用可能なＮＲシステムにおいては、基地局がアナログビームフォーミングをシンボル単位で変更できるように設計して、所定の地域に位置する端末に効率的なビームフォーミングをサポートする方法が考えられる。さらに、図９に示したように、所定のＮ個のＴＸＲＵとＭ個のＲＦアンテナとを１つのアンテナパネルに定義したとき、本発明によるＮＲシステムにおいて、互いに独立したハイブリッドビームフォーミングが適用可能な複数のアンテナパネルを導入する方法（方案）（method）も考えられる。
【０１０７】
以上のように基地局が複数のアナログビームを活用する場合、端末ごとに信号の受信に有利なアナログビームが異なる。よって、本発明が適用可能なＮＲシステムにおいては、基地局が所定のサブフレーム（ＳＦ）内でシンボルごとに異なるアナログビームを適用して（少なくとも、同期信号、システム情報、ページング（paging）など）信号を伝送することにより、全ての端末が受信機会を得るようにするビームスウィーピング（beam sweeping）動作が考えられている。
【０１０８】
図１０は、本発明の一例による下りリンク（ＤｏｗｎＬｉｎｋ、ＤＬ）伝送過程において、同期信号（Synchronization signal）及びシステム情報（System information）に関するビームスウィーピング（Beam sweeping）動作を簡単に示す図である。
【０１０９】
図１０において、本発明が適用可能なＮＲシステムのシステム情報がブロードキャスト（Broadcasting）方式で伝送される物理リソース（又は物理チャネル）を、ｘＰＢＣＨ（Physical Broadcast CHannel）と称する。このとき、１つのシンボル内で互いに異なるアンテナパネルに属する複数のアナログビームは、同時に伝送可能である。
【０１１０】
また、図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Reference Signal、ＲＳ）であるビーム参照信号（Beam RS、ＢＲＳ）の導入が論議されている。ＢＲＳは、複数のアンテナポートに対して定義され、ＢＲＳの各々のアンテナポートは、単一のアナログビームに対応する。このとき、ＢＲＳとは異なり、同期信号又はｘＰＢＣＨは、任意の（random）端末がよく受信するようにアナログビームのグループ内の全てのアナログビームが適用されて伝送される。
【０１１１】
２．４．ＰＴ−ＲＳ（Phase Tracking Reference Signal）
【０１１２】
本発明に関連する位相雑音（phase noise）について説明する。時間軸上で発生するジッタ（jitter）は、周波数軸上で位相雑音として現れる。この位相雑音は、時間軸上の受信信号の位相を以下の数式１のようにランダムに変更する。
【０１１３】
［数式１］
【数１】
0006861280.tif 000013
【０１１４】
上記数式１において、
0006861280.tif 000014
パラメータは、各々、受信信号、時間軸信号、周波数軸信号、位相雑音による位相回転（phase rotation）値を示す。数式１１における受信信号がＤＦＴ（Discrete Fourier Transform）過程を経る場合、以下の数式２が導き出される。
【０１１５】
［数式２］
【数２】
0006861280.tif 000015
【０１１６】
上記数式２において、
0006861280.tif 000016
パラメータは、各々、ＣＰＥ（Common Phase Error）及びＩＣＩ（inter Cell Interference）を示す。このとき、位相雑音間の相関関係が大きいほど数式１２のＣＰＥが大きい値を有する。かかるＣＰＥは、無線ＬＡＮシステムにおけるＣＦＯ（Carrier Frequency Offset）の一種であるが、端末の立場では、位相雑音という観点でＣＰＥとＣＦＯとを同様に解釈することができる。
【０１１７】
端末は、ＣＰＥ／ＣＦＯを推定することにより周波数軸上の位相雑音であるＣＰＥ／ＣＦＯを除去し、端末が受信信号についてＣＰＥ／ＣＦＯを推定する過程は、受信信号の正確なデコーディングのために先行されるべき過程である。これにより、端末がＣＰＥ／ＣＦＯを正確に推定できるように、基地局は、所知（所定）の（certain）信号を端末に送信することができ、この信号は、位相雑音を推定するための信号として端末と基地局との間で予め共有されたパイロット信号、或いはデータ信号が変更又は複製された信号である。以下、位相雑音を推定するための一連の信号を併せてＰＣＲＳ（Phase Compensation Reference Signal）又はＰＮＲＳ（Phase Noise Reference Signal）又はＰＴ−ＲＳ（Phase Tracking Reference Signal）と呼ぶ。以下、説明の便宜上、該当構成を全てＰＴ−ＲＳと総称する。
【０１１８】
３．提案する実施例
【０１１９】
以下では、上記の技術的思想に基づき、本発明で提案する構成についてより詳しく説明する。
【０１２０】
以下、ＰＴ−ＲＳなどを送信する送信器は基地局（又はＴＲＰ（transmission Reception Point）、受信器は端末、と仮定して詳しく説明する。但し、これは、説明の便宜のための仮定であり、実施例によっては、以下の説明において送信器として端末が適用され、受信器として基地局（又はＴＲＰ）が適用されることもできる。
【０１２１】
３．１．第１の提案（PTRS design for CSI-RS distribution and spatial diversity）
【０１２２】
ＰＴ−ＲＳのプリコーディング（precoding）は、周波数軸で循環形式（サイクリング（cycling）の形態）で定義されることができる。基地局は、ＤＭ−ＲＳポートとＰＴ−ＲＳポートとの関係を明示的／暗示的に（explicit/implicit）端末に知らせることができる。また、基地局は、各ＰＴ−ＲＳポートの周波数位置を端末に明示的／暗示的に知らせることができる。
【０１２３】
ここで、明示的指示とは、基地局が端末にＲＲＣ及び／又はＭＡＣ−ＣＥ及び／又はＤＣＩにより、“ＤＭ−ＲＳポートとＰＴ−ＲＳポートとの関係”又は“ＰＴＲＳポートの周波数位置”を明示的に知らせることを意味する。一例として、基地局は、特定の周波数ブロック内のＰＴ−ＲＳが送信可能な周波数領域をＲＲＣシグナリングにより設定することができる。
【０１２４】
また、暗示的指示とは、端末が"ＢＷ（帯域幅）及び／又はＲＡＮＫ（ランク）及び／又はＭＣＳ（Modulation and Coding Scheme）により、“ＤＭ−ＲＳポートとＰＴ−ＲＳポートとの関係”又は“ＰＴＲＳポートの周波数位置”を暗示的に認知／獲得することを意味する。一例として、端末は、割り当てられたＤＭ−ＲＳポートのうちのＰＴ−ＲＳに関連付けられるＤＭ−ＲＳポートの周波数位置を用いて、ＰＴ−ＲＳの周波数位置を決定することができる。
【０１２５】
図１１は、本発明の一例によるＤＭ−ＲＳ及びＰＴ−ＲＳのマッピングパターンを簡単に示す図である。
【０１２６】
図１１に示したように、送信器は、２つのＤＭ−ＲＳポート及び２つのＰＴ−ＲＳポートを用いて、受信器にＤＭ−ＲＳ及びＰＴ−ＲＳを送信する。このとき、各ＰＴ−ＲＳポートは、互いに異なるＤＭ−ＲＳにマッピングされる。一例として、１１／１２番目のＰＴ−ＲＳポートは、各々、１／２番目のＤＭＲＳポートにマッピングされることができる。
【０１２７】
かかる関係は、基地局が端末に明示的に知らせるか、又は端末が暗示的に決定することができる。
【０１２８】
ここで、ＰＴ−ＲＳポート数は、ＲＲＣシグナリング又はＭＡＣ−ＣＥにより設定される。
【０１２９】
又は、ＰＴ−ＲＳポート数は、与えられたＤＭ−ＲＳポート数により決定される。一例として、ＤＭ−ＲＳポート数が４つである場合、ＰＴ−ＲＳポート数は、４つに決定される。又は、ＤＭ−ＲＳポート数は、ＰＴ−ＲＳポート数の最大値のみを決定し、実際に使用するＰＴ−ＲＳポート数は、ＲＲＣシグナリング又はＭＡＣ−ＣＥにより決定することもできる。
【０１３０】
位相ソース（phase source）が１つである場合、１つのＰＴ−ＲＳポートのみが定義される。但し、送信器が、２つのＰＴ−ＲＳポートのうちチャネル性能が良好なポートを選択してＰＴ−ＲＳを受信器に送信すると、受信器の立場ではより正確なＣＰＥ（Common Phase Error）を推定できるが、該受信器は、２つのＰＴ−ＲＳポートのうちどのＰＴ−ＲＳポートが選択されたかが分からない曖昧さ（ambiguity）が発生することができる。
【０１３１】
この曖昧さを解消するために、送信器は、２つのＰＴ−ＲＳポートを周波数軸で変更しながらＰＴ−ＲＳを送信することができる。これにより、さらに空間的多様性（spatial diversity）を得ることができる。このとき、ＰＴＲＳポート＃１／２がどの（リソース）位置で定義されたかに関する情報は、基地局から端末に明示的又は暗示的に提供される。
【０１３２】
一例として、端末は、割り当てられたＲＢｓ内の周波数軸上の最小（最下）（lowest）インデックスを有するＲＥにＰＴＲＳポート＃１１をマッピングし、その後のＲＥにＰＴＲＳポート＃１２をマッピングすることができる。かかる方法により、端末は、周波数軸方向に互いに異なるＰＴＲＳポートをマッピングしてＰＴ−ＲＳを送信又は受信することができる。
【０１３３】
図１２は、本発明の他の例によるＤＭ−ＲＳ及びＰＴ−ＲＳのマッピングパターンを簡単に示す図である。このとき、端末には、３つのＲＢが割り当てられていると仮定する。
【０１３４】
この場合、図１２に示したように、ＰＴＲＳポート＃１１は、２つのＲＢにマッピングされ、ＰＴＲＳポート＃１２は、２つのＲＢにマッピングされる。
【０１３５】
図１３は、本発明のさらに他の例によるＤＭ−ＲＳ及びＰＴ−ＲＳのマッピングパターンを簡単に示す図である。このとき、端末には、互いに分離されたＲＢグループが割り当てられたと仮定する。
【０１３６】
この場合、端末は、物理ＲＢインデックスではない仮想のＲＢインデックスを使用して、ＰＴ−ＲＳポートをマッピングすることができる。一例として、図１３のＲＢ＃３〜＃５、ＲＢ＃１５〜＃１７を、各々、ｖＲＢ＃１〜＃６に転換した後、端末は、互いに異なるＰＴ−ＲＳポートを周波数軸で順に変更しながらマッピングする。次いで、間の端末は、マッピングされたＰＴ−ＲＳポートによりＰＴ−ＲＳを送信又は受信する。
【０１３７】
本発明において、ＣＱＩは、各コードワードごとに報告される。このとき、１つのコードワードは、複数の層（レイヤ、階層）（layers）（例えば、ＤＭＲＳポート）にマッピングされる。この場合、端末は、特定のコードワードが他のコードワードより状態が良好であることを把握できる。よって、最高のＣＱＩを有するコードワードに属する複数のレイヤとＰＴ−ＲＳポートとが対応するように、端末は、ＤＭ−ＲＳポートとＰＴ−ＲＳポートとをマッピングする。
【０１３８】
一例として、８レイヤの送信において、１ｓｔ  ＣＷ及び２ｎｄ  ＣＷが定義され、１ｓｔ  ＣＷは、＃１〜＃４のＤＭ−ＲＳポートと、２ｎｄ  ＣＷは、＃５〜＃８のＤＭ−ＲＳポートと、マッピングされたと仮定する。
【０１３９】
このとき、１ｓｔ  ＣＷのＣＱＩが２ｎｄ  ＣＷより良好である場合、＃１〜＃４のＤＭ−ＲＳポートは、＃１１〜＃１４のＰＴ−ＲＳポートに対応することができる。このとき、＃１１〜＃１４のＰＴ−ＲＳポートは、周波数軸で互いに変更されながらマッピングされることができる。（又は２ｎｄ  ＣＷのＣＱＩが１ｓｔ  ＣＷより良好である場合は、＃５〜＃８のＤＭ−ＲＳポートが＃１１〜＃１４のＰＴ−ＲＳポートと対応することもできる）
【０１４０】
なお、２つのＣＷが同じＣＱＩを有する場合、端末は、常に特定のＣＷ（例えば、１ｓｔ  ＣＷ）を優先的に利用することができる。即ち、特定のＣＷとマッピングされたＤＭ−ＲＳポートをＰＴ−ＲＳポートにマッピングすることができる。
【０１４１】
又は、端末は、レイヤ数がより多く定義されたＣＷを選択し、選択されたＣＷとマッピングされたＤＭ−ＲＳポートをＰＴ−ＲＳポートにマッピングすることができる。この場合、相対的に大きい空間的多様性（spatial diversity）を期待できる。
【０１４２】
一方、＃１１〜＃１４のＰＴ−ＲＳポートのうちの一部のみが選択されて周波数軸で互いに変更されながらマッピングすることもできる（周波数領域に交互にマッピングされてもよい）（may be alternately mapped to the frequency domain）。一例として、ＲＲＣシグナリングにより使用可能なＰＴ−ＲＳポート数が２に設定された場合、送信器は、＃１１〜＃１２のＰＴ−ＲＳポートのみを周波数軸で互いに変更しながらＰＴ−ＲＳを送信できる。
【０１４３】
基地局は、ＰＴ−ＲＳの時間軸及び／又は周波数軸に対する潜在的（potential）（リソース）位置を予め設定し、ＲＲＣシグナリング及び／又はＭＡＣ−ＣＥ及び／又はＤＣＩにより、端末に、ＰＴ−ＲＳに対する潜在的（リソース）位置を知らせることができる。
【０１４４】
図１４は、本発明の一例によりＰＴ−ＲＳの周波数位置が予め決定された例を示す。図１４において、ＰＴ−ＲＳの（潜在的）周波数位置は、ＣＳＩ−ＲＳを考慮して決定される。
【０１４５】
よって、端末は、潜在的ＰＴ−ＲＳ位置について、データ又はＰＴ−ＲＳをマッピング（又は定義）することができる。但し、この場合、ＰＴ−ＲＳは、潜在的ＰＴ−ＲＳ（リソース）位置を除いた他の位置については定義しないこともできる。
【０１４６】
このように、基地局は、全てのＣＳＩ−ＲＳポートについてＰＴ−ＲＳ衝突（collision）が分散されるように予めＰＴ−ＲＳの潜在的な位置を決定し、これをＲＲＣシグナリング及び／又はＭＡＣ−ＣＥ及び／又はＤＣＩにより端末に知らせる。
【０１４７】
３．２．第２提案（Frequency pattern design for PT-RS）
【０１４８】
本発明において、ＰＴ−ＲＳの周波数密度（frequency density）は、１／２／４／８／１６個のＲＢ当たり１副搬送波と設定される。これにより、以下の表のようなＰＴ−ＲＳの周波数密度が適用される。
【０１４９】
［表６］
【表６】
0006861280.tif 000017
【０１５０】
但し、表６によれば、ＰＴ−ＲＳ副搬送波の数は、周波数密度の遷移境界（transition boundary）で急に減少することが分かる。一例として、スケジューリングされたＢＷが８及び９である場合、対応するＰＴ−ＲＳ副搬送波の数は、各々８つ及び４つである。
【０１５１】
これにより、より広いＢＷのためのＰＴ−ＲＳ副搬送波の数は、より狭いＢＷのためのＰＴ−ＲＳ副搬送波の数より小さいことができる。
【０１５２】
特に、ＢＬＥＲ（BLock Error Rate）の性能は、割り当てられたＢＷが大きくなるほどＰＴ−ＲＳ副搬送波の数にセンシティブになる。
【０１５３】
したがって、表６によれば、特定のＢＷのためのＰＴ−ＲＳ副搬送波の数が不適切に設定されることができる。また、周波数密度が１未満のＰＴ−ＲＳを含むＰＲＢにおいても曖昧さが発生することができる。
【０１５４】
かかる問題を解決するために、１未満の周波数密度のために、ＰＴ−ＲＳを含むＰＲＢインデックスｉ（ｉ＝０、…、Ｌ−１）は、以下のような数式により決定される。このとき、Ｌは、ＰＴ−ＲＳ副搬送波の数を意味する。
【０１５５】
［数式３］
【数３】
0006861280.tif 000018
【０１５６】
上記数式３において、パラメータＰ及びｋは、各々割り当てられたＰＲＢの数及びＰＲＢオフセット値を意味する。
【０１５７】
上記数式３によれば、ＰＴ−ＲＳ副搬送波の数は、遷移境界（transition boundary）に関係なく一定に設定される。また、周波数密度も、スケジューリングされたＢＷが増加するほど減少することができる。
【０１５８】
数式３において、
0006861280.tif 000019
及び
0006861280.tif 000020
である場合、ＰＴ−ＲＳ周波数パターンは、図１５のようになる。
【０１５９】
図１５は、本発明に適用可能なＰＴ−ＲＳの周波数パターンを簡単に示す図である。図１５では、説明の便宜上、数式３のＰＲＢオフセット値ｋが０であると仮定する。
【０１６０】
これにより、表６は、以下の表のように修正できる。このとき、Ｋ値は、スケジューリングされたＢＷの与えられた範囲により固定される（例えば、Ｌ＝８  ｆｏｒ  Ｐ＞８）。
【０１６１】
［表７］
【表７】
0006861280.tif 000021
【０１６２】
数式３では、切り捨て関数を適用することを仮定しているが、切り捨て関数の代わりに、四捨五入関数又は切り上げ関数が適用されることもできる。一例として、切り上げ関数が適用される場合、ＰＴ−ＲＳを含むＰＲＢインデックスは、以下の数式により算出される。
【０１６３】
［数式４］
【数４】
0006861280.tif 000022
【０１６４】
数式３又は数式４において、Ｌは、ＢＷごとに異なるように設定される。これは、ＢＷが大きくなるほど、必要なＰＴ−ＲＳの数（Ｌ）が大きくなるためである。
【０１６５】
このとき、以下の表のような定義が適用される。
【０１６６】
［表８］
【表８】
0006861280.tif 000023
【０１６７】
一方、一定数以上のＰＴ−ＲＳが周波数軸で定義される場合は、ＰＴ−ＲＳ副搬送波数の増加は、性能を向上させるよりむしろオーバーヘッドを増加させて、却ってスペクトル効率（spectral efficiency）の観点で損失が発生する。
【０１６８】
よって、ＬX（ｘ＝１、…、Ｎ−１）については、以下のような関係が適用される。
【０１６９】
［数式５］
【数５】
0006861280.tif 000024
【０１７０】
上述したＰＴ−ＲＳを含むＰＲＢインデックスを算出する数式は、仮想のＰＲＢインデックスについても適用可能である。即ち、実際にＰＲＢが連続しなくても、仮想のＰＲＢインデックスを数式に適用してＰＴ−ＲＳの周波数位置を決定できる。
【０１７１】
一例として、実際の物理ＰＲＢの位置が以下のようである場合、仮想のＰＲＢ位置は、以下のように変更される。
【０１７２】
割り当てられた物理ＰＲＢインデックス＝ＰＲＢ＃１０〜＃１５、ＰＲＢ＃３０〜＃３９−>ｖＰＲＢ＃０〜＃１５に変更される。
【０１７３】
次いで、変更されたｖＰＲＢを基準として上記数式が適用される。
【０１７４】
次いで、数式により算出されたｖＰＲＢ基準のＰＴ−ＲＳの周波数位置は、物理ＰＲＢインデックスを基準として以下のような方法により算出される。
【０１７５】
−ｖＰＲＢ＃０〜＃５に含まれたｖＰＲＢ＃Ａの場合、ＰＲＢ＃Ａ＋１０に対応する。
【０１７６】
−ｖＰＲＢ＃６〜＃１５に含まれたｖＰＲＢ＃Ｂの場合、ＰＲＢ＃Ｂ＋２４に対応する。
【０１７７】
さらに、実際の物理リソース位置を考慮して、上記数式を以下のように変更することもできる。
【０１７８】
［数式６］
【数６】
0006861280.tif 000025
【０１７９】
ここで、
0006861280.tif 000026
は、実際に割り当てられた物理ＰＲＢの最小インデックスを意味する。
【０１８０】
上記数式は、割り当てられた物理ＰＲＢが全て連続するときに有用に活用される。
【０１８１】
３．３．第３提案（PT-RS port multiplexing for time CDMed DMRS port）
【０１８２】
図１６は、２つの互いに異なるＤＭ−ＲＳポートグループが端末に各々送信される場合を示す図である。
【０１８３】
図１６に示したように、２つの互いに異なるＤＭ−ＲＳポートグループ（例えば、ＴＲＰ（transmission Reception Point））が端末に各々送信される場合、各ＤＭ−ＲＳポートグループごとに１つのＰＴ−ＲＳポートが定義される。
【０１８４】
本発明において、ＤＭ−ＲＳポートグループ＃０は、ＤＭＲＳポート｛＃０、＃１｝、そして、ＤＭ−ＲＳポートグループ＃１は、ＤＭ−ＲＳポート｛＃７、＃８｝が割り当てられたと仮定する。また、各ＤＭ−ＲＳポートグループでＰＴ−ＲＳが定義されることができる。
【０１８５】
図１７は、ＤＭ−ＲＳポートグループごとにＰＴ−ＲＳが定義される場合、起こり得る問題点を簡単に示す図である。
【０１８６】
図１７に示したように、ＤＭ−ＲＳポートグループごとにＰＴ−ＲＳが同一のリソースに重畳して設定される場合、問題が発生し得る。これは、ＰＴ−ＲＳが互いに区分（区別）され（distinguished）ないためである。
【０１８７】
以下では、ＣＤＭ−Ｔの関係にある複数のＤＭ−ＲＳポートの各々にＰＴ−ＲＳポートが関連する場合、各々のＰＴ−ＲＳポートがＣＤＭ−Ｆの関係にある（副搬送波）ＲＥの各々にマッピングされる具体的な例について詳しく説明する。
【０１８８】
このとき、本発明において、特定のＤＭ−ＲＳポートと特定のＰＴ−ＲＳポートとが関連する（association）とは、両ポートについて同じプリコーディングが適用されることを意味する。又は、少なくとも１つのＤＭ−ＲＳポート（例えば、ＤＭ−ＲＳポートグループ）と特定のＰＴ−ＲＳポートとが関連するとは、少なくとも１つのＤＭ−ＲＳポート（例えば、ＤＭ−ＲＳポートグループ）は、ＰＴ−ＲＳポートで送信されたＰＴ−ＲＳに基づくＣＰＥ（Common Phase Error）を互いに共有することを意味する。
【０１８９】
図１８は、本発明の一例によるＰＴ−ＲＳポートのマッピング例を簡単に示す図である。
【０１９０】
図１８に示したように、ＰＴ−ＲＳポート＃４は、周波数軸０番のＲＥ（又は、副搬送波）とＣＤＭ（Code Division Multiplexing）された２番のＲＥ（又は副搬送波）にマッピングされることができる。これにより、ＰＴ−ＲＳポート＃０とＰＴ−ＲＳポート＃４とは、互いに直交性を維持することができる。
【０１９１】
このとき、ＣＤＭ−Ｔされている２つのＰＴ−ＲＳポートを互いに異なるＲＥ（又は副搬送波）にマッピングさせる方法として、以下のような規則が考えられる。
【０１９２】
（１）ＤＭ−ＲＳの構成１
【０１９３】
−ＰＴ−ＲＳポートがＤＭＲＳポート＃０〜＃３のうちの１つに関連する場合、ＰＴ−ＲＳポートは、ＣＤＭ−Ｆされている２つのＲＥ（又は副搬送波）のうちの下側（のＲＥ）に位置付けられ（位置させ）る（located）。
【０１９４】
−ＰＴ−ＲＳポートがＤＭＲＳポート＃４〜＃７のうちの１つに関連する場合、ＰＴ−ＲＳポートは、ＣＤＭ−Ｆされている２つのＲＥ（又は副搬送波）のうちの上側（のＲＥ）に位置付けられる。
【０１９５】
（２）ＤＭ−ＲＳの構成２
【０１９６】
−ＰＴ−ＲＳポートがＤＭ−ＲＳポート＃０〜＃５のうちの１つに関連する場合、ＰＴ−ＲＳポートは、ＣＤＭ−Ｆされている２つのＲＥ（又は副搬送波）のうちの下側に位置付けられる。
【０１９７】
−ＰＴ−ＲＳポートがＤＭ−ＲＳポート＃６〜＃１１のうちの１つに関連する場合、ＰＴ−ＲＳポートは、ＣＤＭ−Ｆされている２つのＲＥ（又は副搬送波）のうちの上側に位置付けられる。
【０１９８】
一方、図１８において、ＤＭ−ＲＳポート＃０〜＃３は、互いにＣＤＭ−Ｆ又はＦＤＭされた関係を有し、これらは、各々ＤＭ−ＲＳポート＃４〜＃７とＣＤＭ−Ｔされていると仮定する。但し、図１８は、ポート番号付けに関する一例に過ぎず、上記ポート番号付けは、図１８とは異なるように適用されることもできる。但し、ここで重要な事項は、ＤＭ−ＲＳポートがＣＤＭ−Ｆ又はＦＤＭ又はＣＤＭ−Ｔされているか否かによって、ＰＴ−ＲＳポートがマッピングされる副搬送波の位置が決定されるということである。かかる事項は、上述したＤＭ−ＲＳの構成１及びＤＭ−ＲＳの構成２についても同様に適用される。
【０１９９】
このような規則は、ＣＤＭ−Ｔの関係にある複数のＤＭ−ＲＳポートの各々にＰＴ−ＲＳポートが関連する場合にのみ定義されることができる。このとき、上述した場合でなければ、ＰＴ−ＲＳポートは、ＣＤＭ−Ｆされている２つのＲＥ（又は副搬送波）のうち、常に下側に位置付けられる（located）。
【０２００】
より具体的な実施例として、ＤＭ−ＲＳの構成１において、ＤＭ−ＲＳポート＃０についてはＰＴ−ＲＳポートが定義されない反面、ＤＭ−ＲＳポート＃４のみにＰＴ−ＲＳポートが定義される場合、ＤＭ−ＲＳポート＃４に対応するＰＴ−ＲＳポートは、下側にマッピングされることができる。
【０２０１】
上述した規則において、各条件による“下側／上側”は、実施例によって変更可能である。
【０２０２】
また、上述した規則において、各条件による“下側／上側”は、ＲＲＣシグナリングにより設定されることもできる。
【０２０３】
なお、該当のＰＴ−ＲＳの基本位置は、ＣＤＭ−ＦされたＲＥ（又は副搬送波）の上側と定義されることができる。この場合、上述した実施例は、以下のように変更可能である。
【０２０４】
より具体的な実施例として、ＤＭ−ＲＳの構成１においてＤＭ−ＲＳポート＃０についてＰＴ−ＲＳポートが定義されない反面、ＤＭ−ＲＳポート＃４のみにＰＴ−ＲＳポートが定義される場合、ＤＭ−ＲＳポート＃４に対応するＰＴ−ＲＳポートは、上側にマッピングされることができる。
【０２０５】
このような規則によれば、ＰＴ−ＲＳポート間で直交性が維持される。
【０２０６】
また、単一のＤＣＩ（single DCI）である場合、互いに異なるＤＭ−ＲＳポートグループは、同じＢＷを有し、特に１つのＣＷ（コードワード）の場合、同じＭＣＳを有する。このとき、ＭＣＳがＰＴ−ＲＳの送信条件を満たす場合、全てのＤＭＲＳポートグループは、ＰＴ−ＲＳを送信しなければならない。この場合、図１８のような場合が発生し得る。
【０２０７】
したがって、本発明で提案する規則は、単一のＤＣＩの場合に適合する解決方法である。
【０２０８】
一方、マルチＤＣＩ（multi-DCI）の場合は、互いに異なるＤＭ−ＲＳポートグループは、互いに異なるＢＷを有し、互いに異なるＭＣＳを有する。しかしながら、上述した提案事項を適用する場合、相変わらずＰＴ−ＲＳポート間で直交性が維持される。
【０２０９】
また、ＣＤＭ−Ｔの関係にある複数のＤＭ−ＲＳポートの各々にＰＴ−ＲＳポートが関連する場合、各々のＰＴ−ＲＳポートは、同じＲＢに位置付けられるか、又は互いに異なるＲＢに位置付けられる。
【０２１０】
以下、互いに異なるＰＴ−ＲＳポートが互いに異なるＲＢに位置する（located）場合を例示するが、実施例によっては、互いに異なるＰＴ−ＲＳポートは、同じＲＢに位置することができる。
【０２１１】
図１９及び図２０は、本発明の他の例によるＰＴ−ＲＳのマッピング例を簡単に示す図である。
【０２１２】
図１９において、８−ＲＢ以後のＢＷについて、周波数軸に隣接するＰＴ−ＲＳは、１つ以上のＲＢの間隔でマッピングされる。
【０２１３】
かかる特徴によれば、互いに異なるＰＴ−ＲＳポートは、図２０のようにＲＢ−ｗｉｓｅの形態で分布される。
【０２１４】
３．４．第４提案（Higher layer signaling for PT-RS potential location indication）
【０２１５】
図２１及び図２２は、本発明に適用可能なＣＳＩ−ＲＳ及びＰＴ−ＲＳのマッピングパターンの例を簡単に示す図である。
【０２１６】
図２１及び図２２に示したように、ＰＴ−ＲＳは、ＣＳＩ−ＲＳとの衝突を避けるために、図２１及び図２２のようにＣＳＩ−ＲＳとＦＤＭされるようにマッピングされる。
【０２１７】
但し、互いに異なるＴＲＰ（transmission Reception Point）間のＣＳＩ−ＲＳ衝突（collision）を最小にするために、各ＴＲＰは、ＣＳＩ−ＲＳを互いに異なるリソース位置で送信することができる（例えば、図２１及び図２２）。
【０２１８】
これにより、各ＴＲＰ／セル／ｇＮＢごとにＣＳＩ−ＲＳのマッピング位置が異なるように設定される場合、ＰＴ−ＲＳの潜在的なリソース位置も変更する必要がある。したがって、基地局は、端末にＰＴ−ＲＳの潜在的位置を知らせることができ、このような情報は、ＤＣＩ及び／又は上位層シグナリング（例えば、ＲＲＣ／ＭＡＣ−ＣＥ）などにより送信されることができる。
【０２１９】
一例として、ＣＳＩ−ＲＳの位置及びシグナリングの簡素化のために、ＰＴ−ＲＳの潜在的リソース位置は、以下のように設定される。
【０２２０】
まず、端末には、既に定義された複数のＰＴ−ＲＳ（リソース）位置のうちの１つがＤＣＩ及び／又は上位層シグナリング（例えば、ＲＲＣ／ＭＡＣ−ＣＥ）により設定される。また、端末は、設定されたリソース位置内でＰＴ−ＲＳを送受信することができる。
【０２２１】
（１）ＤＭ−ＲＳの構成１
【０２２２】
図２３は、本発明に適用可能なＰＴ−ＲＳの潜在的リソース位置を簡単に示す図である。
【０２２３】
図２３に示したように、ＤＭ−ＲＳの構成１の場合、３つのＰＴ−ＲＳの潜在的リソース位置（ＰＴ−ＲＳの位置１／２／３）が定義される。このとき、基地局は、３つのリソース位置のうちの１つを端末に設定することができる。
【０２２４】
また、図２３で提案したＰＴ−ＲＳの潜在的リソース位置のうちの一部のみがＰＴ−ＲＳの潜在的リソース位置として定義されることができる。一例として、図２３のＰＴ−ＲＳの位置１及びＰＴ−ＲＳの位置３のみが定義される。この場合、基地局は、１ビットサイズの情報によりＰＴ−ＲＳのリソース位置を端末に指定することができる。
【０２２５】
（２）ＤＭ−ＲＳの構成２
【０２２６】
図２４は、本発明に適用可能なＰＴ−ＲＳの潜在的リソース位置を簡単に示す図である。
【０２２７】
図２４に示したように、ＤＭ−ＲＳの構成２の場合、２つのＰＴ−ＲＳの潜在的リソース位置（ＰＴ−ＲＳの位置１／２）が定義される。このとき、基地局は、２つのリソース位置のうちの１つを端末に設定することができる。
【０２２８】
これらの構成において、基地局又は端末のＰＴ−ＲＳの送信の有無は、ＭＣＳ及び／又は割り当てられたＢＷにより決定される。このとき、ＰＴ−ＲＳが送信されない場合は、該当リソース領域ではその代わりにデータが送信される。これにより、上述したリソース位置では必ずＰＴ−ＲＳが送信されないので、指示されるリソース位置は、ＰＴ−ＲＳの潜在的リソース位置と言える。
【０２２９】
図２５は、特定のＰＴ−ＲＳの潜在的リソース位置が指示された場合、端末が対応するＰＴ−ＲＳポートのマッピング位置を決定する方法を説明する図である。
【０２３０】
図２５において、端末については図２３のＰＴ−ＲＳの位置３が設定されたと仮定する。このとき、端末は、設定されたＰＴ−ＲＳ領域（例えば、ＰＴ−ＲＳの位置３）でＰＴ−ＲＳポートがマッピングされるＤＭ−ＲＳポート＃０に対する副搬送波（subcarrier）を決定できる。
【０２３１】
このとき、ＰＴ−ＲＳポートは、ＤＭ−ＲＳポートと同一の副搬送波の位置にいる必要があるので、ＰＴ−ＲＳポートに対応する副搬送波の位置は、サブキャリア＃０又はサブキャリア＃２である。この場合、上記３．３．で説明した技法などによって、端末は、ＰＴ−ＲＳポートがマッピングされる正確な副搬送波の位置を決定することができる。
【０２３２】
３．５．第５提案（Enhanced PT-RS port multiplexing for time CDMed DMRS port）
【０２３３】
本発明が適用可能なＮＲシステムにおいて、ＤＭ−ＲＳの構成１の場合、ＰＴ−ＲＳが送信されると、ＤＭ−ＲＳポート＃１０００〜＃１００３のみが活性化される。言い換えれば、上記の場合、ＤＭ−ＲＳポート＃１００４〜＃１００７は、非活性化されることもできる。
【０２３４】
これにより、以下の表のように定義される。このとき、以下の表においてＵＬ−ＰＴＲＳ−ＲＥ−ｏｆｆｓｅｔは、上述したＰＴ−ＲＳの潜在的リソース位置を指示するために（用途として）活用できる。
【０２３５】
［表９］
【表９】
0006861280.tif 000027
【０２３６】
さらに、本発明が適用可能なＮＲシステムでは、ＤＭ−ＲＳの構成１の場合についてもＰＴ−ＲＳが設定されるＤＭ−ＲＳポート＃１００４〜＃１００７が活性化されることができる。
【０２３７】
ＤＭ−ＲＳポート＃１００４〜＃１００７にＰＴ−ＲＳポートが関連する場合、対応するＰＴ−ＲＳポートに対する周波数リソース位置は、従来のＤＭ−ＲＳポート＃１０００〜＃１００３のために割り当てられたＰＴ−ＲＳポートに対する周波数リソース位置と重畳することができる。
【０２３８】
よって、以下では、ＤＭ−ＲＳポート＃１００４〜＃１００７（for DMRS configuration type I）又はＤＭ−ＲＳポート＃１００６〜＃１０１１（for DMRS configuration type II）に関連するＰＴ−ＲＳポートに対する周波数リソース位置を決定する具体的な方法について詳しく説明する。
【０２３９】
以下、ＤＭ−ＲＳの構成タイプ１を基準として本発明で提案する構成について説明するが、該当構成は、ＤＭ−ＲＳの構成タイプ２についても同様に適用できる。
【０２４０】
但し、ＤＭ−ＲＳの構成タイプ１の場合、ＤＭ−ＲＳポート＃１０００〜＃１００３とＤＭ−ＲＳポート＃１００４〜＃１００７とは、互いにＣＤＭ−Ｔの関係を有することができる。反面、ＤＭ−ＲＳの構成タイプ２の場合、ＤＭ−ＲＳポート＃１０００〜＃１００５とＤＭ−ＲＳポート＃１００６〜＃１００１１とは、互いにＣＤＭ−Ｔの関係を有する。
【０２４１】
本発明において、ＣＤＭ−Ｔの関係においてＤＭ−ＲＳポートと関連付けられた（連携する）（associated）ＰＴ−ＲＳポートは、互いに異なるＲＢにマッピングされる（又は位置付けられる）。
【０２４２】
一例として、ＰＴ−ＲＳの周波数密度が２つのＲＢ当たり１つ（即ち、１／２）であり、端末についてＲＢ＃０〜＃５が割り当てられたと仮定する。このとき、ＤＭ−ＲＳポート＃１０００と関連付けられたＰＴ−ＲＳポートが１、３、５番目のＲＢに位置する場合、ＤＭ−ＲＳポート＃１００４と関連付けられたＰＴ−ＲＳポートは、２、４、６番目のＲＢに位置することができる。
【０２４３】
また、ＣＤＭ−Ｔの関係においてＤＭ−ＲＳポートに関連付けられたＰＴ−ＲＳポートのＲＢ位置は、以下の数式により決定される。以下の数式において、［］は、それぞれ、Ｃ−ＲＮＴＩ（Cell Radio Network Temporary Identifier）（or UE ID）、ＰＴ−ＲＳの周波数密度を指示する情報（例えば、２である場合、ＰＴ−ＲＳの周波数密度は１／２。４である場合、ＰＴ−ＲＳの周波数密度は１／４）、割り当てられたＲＢ数を示す。
【０２４４】
［数式７］
【数７】
0006861280.tif 000028
【０２４５】
（１）ＤＭ−ＲＳポートの構成タイプ１
【０２４６】
ＤＭ−ＲＳポート＃１０００〜＃１００３に関連付けられたＰＴ−ＲＳポートのＲＢ位置は、以下の数式により決定される。このとき、以下の数式において、
0006861280.tif 000029
は、周波数領域におけるリソースブロックのサイズを示す値であり、該当リソースブロックに含まれた副搬送波の数を表す。
【０２４７】
［数式８］
【数８】
0006861280.tif 000030
【０２４８】
ＤＭ−ＲＳポート＃１００４〜＃１００７に関連付けられたＰＴ−ＲＳポートのＲＢ位置は、以下の数式により決定される。
【０２４９】
［数式９］
【数９】
0006861280.tif 000031
【０２５０】
上記式において、
0006861280.tif 000032
としては、１の値の代わりに０ではない他の値を設定することができる。このとき、
0006861280.tif 000033
は、上位層シグナリングにより設定される。又は、
0006861280.tif 000034
値によって、
0006861280.tif 000035
は、互いに異なる値を有することができる。一例として、
0006861280.tif 000036
のような関係が適用される。
【０２５１】
（２）ＤＭ−ＲＳポートの構成タイプ２
【０２５２】
ＤＭＲＳポート＃１０００〜＃１００５に関連付けられたＰＴ−ＲＳポートのＲＢ位置は、以下の数式により決定される。
【０２５３】
［数式１０］
【数１０】
0006861280.tif 000037
【０２５４】
ＤＭ−ＲＳポート＃１００６〜＃１０１１に関連付けられたＰＴ−ＲＳポートのＲＢ位置は、以下の数式により決定される。
【０２５５】
［数式１１］
【数１１】
0006861280.tif 000038
【０２５６】
上記式において、
0006861280.tif 000039
としては、１の値の代わりに０ではない他の値を設定することができる。このとき、
0006861280.tif 000040
は、上位層シグナリングにより設定される。又は、
0006861280.tif 000041
値によって、
0006861280.tif 000042
は、互いに異なる値を有することができる。一例として、
0006861280.tif 000043
のような関係が適用される。
【０２５７】
図２６は、本発明の一例によるＰＴ−ＲＳのマッピングパターンを簡単に示す図である。
【０２５８】
図２６では、
0006861280.tif 000044
と設定され、ＤＭ−ＲＳの構成タイプ１の場合を仮定する。
【０２５９】
但し、ＲＢの数が１つである場合、端末は、ＰＴ−ＲＳポートがＤＭ−ＲＳポート＃１００４〜＃１００７のうちの１つのＤＭ−ＲＳに関連付けられていることを期待しない。
【０２６０】
図２７は、本発明の一例による端末のＰＴ−ＲＳの受信方法を簡単に示す流れ図である。
【０２６１】
まず、端末は、端末に割り当てられた帯域幅に基づいてＰＴ−ＲＳの周波数密度（frequency density）を決定する（Ｓ２７１０）。
【０２６２】
本発明において、ＰＴ−ＲＳの周波数密度としては、
【０２６３】
−２つのリソースブロック当たり１つのＰＴ−ＲＳ、
【０２６４】
−４つのリソースブロック当たり１つのＰＴ−ＲＳ
【０２６５】
などの周波数密度が適用される。
【０２６６】
次いで、端末は、ＰＴ−ＲＳのリソース位置を決定し、決定されたリソース位置でＰＴ−ＲＳを受信する（Ｓ２７２０）。
【０２６７】
より具体的には、端末は、端末に割り当てられた全リソースブロックに対する新しいリソースブロックインデックスと上記決定されたＰＴ−ＲＳの周波数密度とに基づいて決定されるリソースブロックによりＰＴ−ＲＳを受信する。
【０２６８】
ここで、端末に割り当てられた全リソースブロックに対する新しいリソースブロックインデックスは、端末に割り当てられた全リソースブロックに対する仮想のリソースブロックインデックスを意味する。このとき、仮想のリソースブロックインデックスは、端末に割り当てられた全リソースブロックのインデックスの順に番号付けされる。
【０２６９】
このとき、端末は、ＰＴ−ＲＳがマッピングされるリソースブロック内において、ＰＴ−ＲＳがマッピング可能な１つ又は複数の副搬送波を指示する情報を受信する。
【０２７０】
よって、端末は、１つ又は複数の副搬送波のうち、ＰＴ−ＲＳと関係を有する復調参照信号（Demodulation Reference Signal；ＤＭ−ＲＳ）ポートの周波数位置に基づいてＰＴ−ＲＳがマッピングされる少なくとも１つの副搬送波位置を決定することができる。
【０２７１】
このような情報は、上位層シグナリングにより受信される。
【０２７２】
このようなＰＴ−ＲＳは、ＰＴ−ＲＳがマッピングされた少なくとも１つの副搬送波内の対応する（associated）ＤＭ−ＲＳポートがマッピングされるシンボル以後の少なくとも１つのシンボルにマッピングされて受信される。
【０２７３】
この場合、ＰＴ−ＲＳが少なくとも１つのシンボルにマッピングされる時間領域パターンは、端末にスケジューリングされたＭＣＳ（Modulation and Coding Scheme）に基づいて決定される。
【０２７４】
また、ＰＴ−ＲＳが２つのＰＴ−ＲＳポートで受信され（又は２つのＰＴ−ＲＳポートに対して定義され）、該２つのＰＴ−ＲＳポートが時間領域でコード分割多重化（Code Division Multiplexing In Time Domain；ＣＤＭ−Ｔ）される複数の復調参照信号（DeModulation Reference Signal；ＤＭ−ＲＳ）ポートと各々関連付けられる場合、２つのＰＴ−ＲＳポートで送信されるＰＴ−ＲＳは、互いに異なるリソースブロックにマッピングされて受信される。
【０２７５】
参考として、本発明に適用可能なＰＴ−ＲＳポートとＤＭ−ＲＳポートとは、以下のような方法により連関関係（association）が設定される。
【０２７６】
（１）１つのＤＭ−ＲＳポートグループが定義される場合
【０２７７】
この場合、１つのＰＴ−ＲＳポートが定義される。
【０２７８】
一例として、１つのコードワードの場合、ＰＴ−ＲＳポートは、ＤＭ−ＲＳポートグループのうち、最小のインデックスを有するＤＭ−ＲＳポートに関連付けられ（又はマッピングされ）る。
【０２７９】
他の例として、２つのコードワードの場合は、ＰＴ−ＲＳポートは、ｈｉｇｈｅｒ  ＭＣＳを有するＣＷに属するＤＭ−ＲＳポートのうち、最小のインデックスを有するＤＭＲＳポートに関連付けられ（又はマッピングされ）る。
【０２８０】
（２）２つのＤＭ−ＲＳポートグループが定義される場合
【０２８１】
この場合、２つのＰＴ−ＲＳポートが定義される。
【０２８２】
このとき、各ＤＭ−ＲＳのポートグループで、ＰＴ−ＲＳが１つずつ送信される。この場合、各ＰＴ−ＲＳポートは、各ＤＭ−ＲＳポートグループにおいて最小のインデックスを有するＤＭ−ＲＳポートに関連付けられ（又はマッピングされ）る。
【０２８３】
又は、この場合、１つのＰＴ−ＲＳポートが定義されることができる。
【０２８４】
このとき、ＰＴ−ＲＳポートは、Ｈｉｇｈｅｒ  ＭＣＳを有するＣＷに属するＤＭ−ＲＳポートのうち、最小のインデックスを有するＤＭ−ＲＳポートに関連付けられ（又はマッピングされ）る。
【０２８５】
上述した提案方式に関する一例も、本発明の具現方法の１つとして含まれてもよく、一種の提案方式と見なし得ることは明白な事実である。また、上述した提案方式は、独立して具現されてもよく、一部の提案方式の組合せ（又は、併合）の形態で具現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０２８６】
４．装置構成
【０２８７】
図２８は、提案する実施例を具現できる端末及び基地局の構成を示す図である。図２８に示した端末及び基地局は、上述した端末と基地局との間の位相トラッキング参照信号の送受信方法の実施例を具現するように動作する。
【０２８８】
端末（ＵＥ：User Equipment）１は、上りリンクでは送信端として動作し、下りリンクでは受信端として動作することができる。また、基地局（ｅＮＢ：e-Node B）１００は、上りリンクでは受信端として動作し、下りリンクでは送信端として動作することができる。
【０２８９】
即ち、端末及び基地局は、情報、データ及び／又はメッセージの送信及び受信を制御するためにそれぞれ、送信器（Transmitter）１０，１１０及び受信器（Receiver）２０，１２０を含むことができ、情報、データ及び／又はメッセージを送受信するためのアンテナ３０，１３０などを含むことができる。
【０２９０】
また、端末及び基地局は、それぞれ、上述した本発明の実施例を行うためのプロセッサ（Processor）４０，１４０、及びプロセッサの処理過程を一時的（臨時的）に（temporarily）又は持続的に記憶できるメモリ５０，１５０を含むことができる。
【０２９１】
このように構成された端末１は、プロセッサ４０により端末に割り当てられた帯域幅に基づいてＰＴ−ＲＳの周波数密度（frequency density）を決定する。次いで、端末１は、受信器２０を介して端末に割り当てられた全リソースブロックに対する新しいリソースブロックインデックス及び上記決定されたＰＴ−ＲＳの周波数密度に基づいて決定されるリソースブロックを介してＰＴ−ＲＳを受信する。
【０２９２】
端末及び基地局に含まれた送信器及び受信器は、データ送信のためのパケット変復調機能、高速パケットチャネルコーディング機能、直交周波数分割多元接続（ＯＦＤＭＡ：Orthogonal Frequency Division Multiple Access）パケットスケジューリング、時分割二重（デュプレックス）（ＴＤＤ：Time Division Duplex）パケットスケジューリング及び／又はチャネル多重化機能を有することができる。また、図２８の端末及び基地局は、低電力ＲＦ（Radio Frequency）／ＩＦ（Intermediate Frequency）ユニットをさらに含むことができる。
【０２９３】
一方、本発明において端末として、個人携帯端末機（ＰＤＡ：Personal Digital Assistant）、セルラフォン、個人通信サービス（ＰＣＳ：Personal Communication Service）フォン、ＧＳＭ（登録商標）（Global System for Mobile）フォン、ＷＣＤＭＡ（登録商標）（Wideband CDMA）フォン、ＭＢＳ（Mobile Broadband System）フォン、ハンドヘルドＰＣ（Hand-Held PC）、ノートＰＣ、スマート（Smart）フォン、又はマルチモードマルチバンド（ＭＭ−ＭＢ：Multi Mode-Multi Band）端末機などを用いることができる。
【０２９４】
ここで、スマートフォンとは、移動通信端末機と個人携帯端末機との長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Code Division Multiple Access）２０００システム、ＷＣＤＭＡ（登録商標）（Wideband CDMA）システムなど）のいずれにおいても作動し得る端末機のことを指す。
【０２９５】
本発明の実施例は、様々な手段によって具現することができる。例えば、本発明の実施例は、ハードウェア、ファームウェア（firmware）、ソフトウェア、又はそれらの組み合わせなどによって具現することができる。
【０２９６】
ハードウェアによる具現の場合、本発明の実施例による方法は、少なくとも１つのＡＳＩＣ（Application Specific Integrated Circuit）、ＤＳＰ（Digital Signal Processor）、ＤＳＰＤ（Digital Signal Processing Device）、ＰＬＤ（Programmable Logic Device）、ＦＰＧＡ（Field Programmable Gate Array）、プロセッサ、コントローラ、マイクロコントローラ、マイクロプロセッサなどによって具現することができる。
【０２９７】
ファームウェアやソフトウェアによる具現の場合、本発明の実施例による方法は、以上で説明した機能又は動作を行うモジュール、手順又は関数などの形態として具現することができる。例えば、ソフトウェアコードは、メモリ５０，１５０に記憶し、プロセッサ４０，１４０によって駆動することができる。上記メモリユニットは、上記プロセッサの内部又は外部に設けられて、既に公知である様々な手段によって、上記プロセッサとデータをやり取りすることができる。
【０２９８】
本発明は、本発明の技術的アイディア及び必須の特徴から逸脱しない範囲で他の特定の形態として具体化することができる。したがって、上記の詳細な説明は、いずれの面においても制限的に解釈されてはならず、例示的なものとして考慮しなければならない。本発明の範囲は、添付する請求項の合理的解釈によって決定しなければならず、本発明の等価的範囲内における変更は、いずれも本発明の範囲に含まれる。また、特許請求の範囲で明示的な引用関係にない請求項を組み合わせて実施例を構成してもよく、出願後の補正によって新しい請求項として含めてもよい。
【産業上の利用可能性】
【０２９９】
本発明の実施例は、様々な無線アクセスシステムに適用することができる。様々な無線アクセスシステムの一例として、３ＧＰＰ（3rd Generation Partnership Project）又は３ＧＰＰ２システムなどがある。本発明の実施例は、上記様々な無線アクセスシステムの他、上記様々な無線アクセスシステムを応用する全ての技術分野にも適用することができる。さらに、提案した方法は、超高周波帯域を利用するｍｍＷａｖｅ通信システムにも適用することができる。
【図１】
0006861280.tif 000045
【図２】
0006861280.tif 000046
【図３】
0006861280.tif 000047
【図４】
0006861280.tif 000048
【図５】
0006861280.tif 000049
【図６】
0006861280.tif 000050
【図７】
0006861280.tif 000051
【図８】
0006861280.tif 000052
【図９】
0006861280.tif 000053
【図１０】
0006861280.tif 000054
【図１１】
0006861280.tif 000055
【図１２】
0006861280.tif 000056
【図１３】
0006861280.tif 000057
【図１４】
0006861280.tif 000058
【図１５】
0006861280.tif 000059
【図１６】
0006861280.tif 000060
【図１７】
0006861280.tif 000061
【図１８】
0006861280.tif 000062
【図１９】
0006861280.tif 000063
【図２０】
0006861280.tif 000064
【図２１】
0006861280.tif 000065
【図２２】
0006861280.tif 000066
【図２３】
0006861280.tif 000067
【図２４】
0006861280.tif 000068
【図２５】
0006861280.tif 000069
【図２６】
0006861280.tif 000070
【図２７】
0006861280.tif 000071
【図２８】
0006861280.tif 000072